(57)【要約】【課題】比較的大きい音量の再生音を放射することができる薄型のスピーカ装置を提供する。【解決手段】静止部１０と、駆動部２０と、振動体３０を備え、駆動部２０は、振動方向に交差する断面の形状が環状であるボイスコイル２１と、ボイスコイル２１が配置される磁気ギャップ２３Ｇを有する磁気回路２３とを備え、振動体３０は、静止部１０に振動自在に支持される複数の振動板３１と、複数の振動板３１のうち、対面する第１の振動板３１−１と第２の振動板３１−２との間に設けられ、第１の振動板３１−１と第２の振動板３１−２を連結して互いに近接又は離間するように連動させてボイスコイル２１の振動方向とは異なる方向に第１の振動板３１−１と第２の振動板３１−２を振動させる振動方向変換部４０とを備え、振動方向変換部４０は、剛性の連結部５０を介してボイスコイル２１に連結している。【選択図】図２
2012074776.tif 000002
【特許請求の範囲】
【請求項１】
静止部と、駆動部と、振動体を備え、
前記駆動部は、振動方向に交差する断面の形状が環状であるボイスコイルと、当該ボイスコイルが配置される磁気ギャップを有する磁気回路とを備え、
前記振動体は、前記静止部に振動自在に支持される複数の振動板と、前記複数の振動板のうち、対面する第１の振動板と第２の振動板との間に設けられる振動方向変換部を備え、
前記振動方向変換部は、前記第１の振動板と前記第２の振動板を連結して互いに近接又は離間するように連動させるとともに、前記ボイスコイルの振動方向とは異なる方向に前記第１の振動板と前記第２の振動板を振動させ、
前記振動方向変換部は、剛性の連結部を介して前記ボイスコイルに連結していることを特徴とするスピーカ装置。
【請求項２】
前記静止部は、前記第１の振動板と前記第２の振動板と前記駆動部を支持する外周支持部と、前記振動方向変換部を支持する内側支持部を備え、
前記内側支持部は、前記外周支持部から前記振動方向変換部に向かって突出しており、前記振動板の振動方向に対して剛性を備えることを特徴とする請求項１に記載のスピーカ装置。
【請求項３】
前記外周支持部は、対向配置される第１の部分と第２の部分とを備え、
前記内側支持部は、前記第１の部分と前記第２の部分の間を橋渡す橋渡し部であることを特徴とする請求項２に記載のスピーカ装置。
【請求項４】
前記外周支持部は前記振動板の振動方向に沿った壁面を有する外周壁部を一対備え、
前記外周支持部の第１の部分が前記外周壁部の一方に設けられ、前記外周支持部の第２の部分が前記外周壁部の他方に設けられており、
前記一対の外周壁部は、前記橋渡し部の両端部に設けられていることを特徴とする請求項３に記載のスピーカ装置。
【請求項５】
前記外周支持部は、前記外周壁部の上端部近傍に設けられる第１の外周枠部と、前記外周壁部の下端部近傍に設けられる第２の外周枠部を備え、
前記第１の外周枠部は、前記第１の振動板を第１のエッジを介して支持し、
前記第２の外周枠部は、前記第２の振動板を第２のエッジを介して支持し、
前記磁気回路は、前記第１の外周枠部と前記第２の外周枠部との間に設けられることを特徴とする請求項４に記載のスピーカ装置。
【請求項６】
前記静止部は、前記外周壁部を複数備え、
複数の前記外周壁部は、前記振動方向変換部を取り囲んで配置されることを特徴とする請求項５に記載のスピーカ装置。
【請求項７】
前記静止部は、前記第１の外周枠部を有する第１の部品と、前記第２の外周枠部を有する第２の部品と、前記橋渡し部を有する第３の部品で構成され、
前記第１の外周枠部、前記第２の外周枠部と前記外周壁部は、前記振動板の振動方向に沿って重ねて配置されることを特徴とする請求項６に記載のスピーカ装置。
【請求項８】
前記振動板は、平板状部と、当該平板状部を囲む環状部を備え、
前記環状部は、前記振動板の振動方向に沿って突出する頂部を備え、
前記振動板は前記ボイスコイルの振動方向に対して交差する方向に剛性を備えることを特徴とする請求項７に記載のスピーカ装置。
【請求項９】
前記環状部に設けられる頂部は、第１の頂部と、当該第１の頂部の外側に配置される第２の頂部とを備え、
前記第１の頂部は、前記振動方向変換部側に突出し、
前記第２の頂部は、前記第１の頂部と前記平板状部との間に配置されるとともに、音響放射方向に向かって突出することを特徴とする請求項８に記載のスピーカ装置。
【請求項１０】
前記振動方向変換部は、ボイスコイル用連結部分と、振動板用連結部分と、静止部用連結部分とを備え、
前記ボイスコイル用連結部分は、前記ボイスコイルに直接又は他の部材を介して連結し、
前記振動板用連結部分は、前記振動板に直接又は他の部材を介して連結し、
前記静止部用連結部分は、前記静止部に直接又は他の部材を介して連結しており、
前記ボイスコイル用連結部分、前記振動板用連結部分と前記静止部用連結部分は、剛性を備えることを特徴とする請求項９に記載のスピーカ装置。
【請求項１１】
前記振動板の平板状部は、前記振動板用連結部分と直接又は他の部材を介して連結することを特徴とする請求項１０に記載のスピーカ装置。
【請求項１２】
前記振動方向変換部は、複数のリンク部分と複数の関節部とを備え、
前記複数のリンク部分は、前記ボイスコイルと前記振動板とを連結する第１のリンク部分と、当該第１のリンク部分を角度変更自在に前記静止部に連結する第２のリンク部分を備え、
前記ボイスコイル用連結部分は、前記関節部を介して前記第１のリンク部分の一方の端部に連結しており、
前記振動板用連結部分は、前記関節部を介して前記第１のリンク部分の他方の端部に連結しており、
前記第２のリンク部分の一方の端部は、前記関節部を介して前記第１のリンク部分の中間部分に連結しており、
前記第２のリンク部分の他方の端部は、前記関節部を介して前記静止部用連結部分に連結していることを特徴とする請求項１１に記載のスピーカ装置。
【請求項１３】
前記第１のリンク部分と前記ボイスコイル用連結部分との間に設けられる前記関節部を第１の関節部とし、
前記第２のリンク部分と前記静止部用連結部分との間に設けられる前記関節部を第２の関節部とし、
前記第１の関節部と前記第２の関節部の位置は、前記振動板の振動方向において実質的に同じ高さであることを特徴とする請求項１２に記載のスピーカ装置。
【請求項１４】
前記連結部は、剛性の取付面部と、第１の筒状連結部と、第２の筒状連結部とを備え、
前記取付面は、前記ボイスコイルの振動方向に対して交差する方向に沿った面を備え、
前記第１の筒状連結部は、前記ボイスコイル用連結部分に直接又は他の部材を介して連結し、
前記第２の筒状連結部は、前記ボイスコイルに直接又は他の部材を介して連結することを特徴とする請求項１３に記載のスピーカ装置。
【請求項１５】
前記ボイスコイルの振動方向に交差する方向に沿う前記ボイスコイルの断面の形状は長軸及び短軸で規定される矩形状であり、
前記短軸の方向が前記振動板の振動方向に沿っていることを特徴とする請求項１４に記載のスピーカ装置。
【請求項１６】
前記駆動部は、前記ボイスコイルを支持するボイスコイル支持部を備え、
前記ボイスコイル支持部は、前記第２の筒状連結部に取り付けられていることを特徴とする請求項１５に記載のスピーカ装置。
【請求項１７】
前記ボイスコイルの振動方向に交差する方向に沿う前記磁気回路の断面形状は長軸及び短軸で規定される矩形状であり、
前記短軸の方向は、前記振動板の振動方向に沿っていることを特徴とする請求項１６に記載のスピーカ装置。
【請求項１８】
前記磁気回路は、外周筒部と底面部を備えるヨーク、磁石、プレートとを備えることを特徴とする請求項１７に記載のスピーカ装置。
【請求項１９】
前記振動板の外周部は、前記連結部に対して内側に配置されていることを特徴とする請求項１８に記載のスピーカ装置。
【請求項２０】
前記振動板の振動方向における前記振動板の外周部と前記第１の頂部の長さは、前記連結部の外周部と前記ボイスコイル用連結部分との長さ、又はボイスコイルの外周側面と前記ボイスコイル用連結部分との長さに対して大きいことを特徴とする請求項１９に記載のスピーカ装置。
【請求項２１】
前記振動板は、第１の振動部と、当該第１の振動部を囲む第２の振動部とを備え、
前記第１の振動部は前記ボイスコイルの振動方向に対し交差する方向に並べて配置される複数の凹部を備え、
前記第１の振動部と前記第２の振動部との間には、環状の凹部が設けられていることを特徴とする請求項１に記載のスピーカ装置。
【請求項２２】
環状の補強部が前記ボイスコイルの内側側面に設けられていることを特徴とする請求項１７に記載のスピーカ装置。
【請求項２３】
請求項１に記載するスピーカ装置を備える電子機器。
【請求項２４】
請求項１に記載するスピーカ装置を備える自動車。
【請求項２５】
請求項１に記載するスピーカ装置を備える建築物。
【発明の詳細な説明】
【技術分野】
【０００１】
本発明は、スピーカ装置に関するものである。
【背景技術】
【０００２】
一般的なスピーカ装置として、ダイナミック型スピーカ装置が知られている（例えば、特許文献１参照）。このダイナミック型スピーカ装置は、例えば図１に示すように、フレーム３Ｊと、コーン形状の振動板２１Ｊと、振動板２１Ｊをフレーム３Ｊに支持するエッジ４Ｊと、振動板２１Ｊの内周部に接合されたボイスコイルボビン６１０Ｊと、ボイスコイルボビン６１０Ｊをフレーム３Ｊに支持するダンパ７Ｊと、ボイスコイルボビン６１０Ｊに巻き回されたボイスコイル６１１Ｊと、ヨーク５１Ｊ，磁石５２Ｊ，プレート５３Ｊを備えると共に、ボイスコイル６１１Ｊが配置される磁気ギャップが形成された磁気回路とを有する。このスピーカ装置では、音声信号がボイスコイル６１１Ｊに入力されると、磁気ギャップ内のボイスコイル６１１Ｊに生じたローレンツ力によりボイスコイルボビン６１０Ｊが振動し、その振動によって振動板２１Ｊが駆動される。
【先行技術文献】
【特許文献】
【０００３】
【特許文献１】特開平８−１４９５９６号公報（第１図）
【発明の開示】
【発明が解決しようとする課題】
【０００４】
前述した一般的なダイナミック型スピーカ装置は、例えば図１に示すように、振動板２１Ｊの音響放射側に対して反対側にボイスコイル６１１Ｊが配設され、ボイスコイル６１１Ｊ及びボイスコイルボビン６１０Ｊの振動方向と振動板２１Ｊの振動方向が同じ方向になるように構成されている。そして、このようなスピーカ装置では、振動板２１Ｊが振動するための領域、ボイスコイルボビン６１０Ｊが振動するための領域、磁気回路が配置される領域等が振動板２１Ｊの振動方向（音響放射方向）に沿って形成されることになるので、スピーカ装置の全高が比較的大きく成らざるを得ない構造になっている。
【０００５】
詳細には、図１に示すように、スピーカ装置の振動板２１Ｊの振動方向に沿った大きさは、コーン形状の振動板２１Ｊの振動方向に沿った大きさ及び振動板２１Ｊをフレーム３Ｊに支持するエッジ４Ｊの全高（ａ）、振動板２１Ｊとボイスコイルボビン６１０Ｊとの接合部からボイスコイル６１１Ｊの上端までのボイスコイルボビン高さ（ｂ）、ボイスコイルの全高（ｃ）、ボイスコイル６１１Ｊの下端部からヨーク５１Ｊの上面までの高さに相当する、磁気回路の主に磁石高さ（ｄ）、磁気回路の主にヨーク５１Ｊの厚さ（ｅ）等からなる。このようなスピーカ装置においては、充分な振動板２１Ｊの振動ストロークを確保するためには、前述したａ，ｂ，ｃ，ｄの高さを充分に確保する必要があり、また充分な電磁気力を得るためには前述したｃ，ｄ，ｅの高さを充分に確保する必要があるので、特に、大音量対応型スピーカ装置では、スピーカ装置の全高が大きく成らざるを得ない。
【０００６】
このように、従来のスピーカ装置では、ボイスコイルボビン６１０Ｊの振動方向と振動板２１Ｊの振動方向とが同方向になっているので、振動板２１Ｊの振幅を大きくして大音量を得ようとすると、ボイスコイルボビン６１０Ｊの振動ストロークを確保するためにスピーカ装置の全高が大きくなってしまい、装置の薄型化を達成し難い。すなわち、装置の薄型化と大音量化を両立し難い問題がある。
【０００７】
本発明は、このような問題に対処することを課題の一例とするものである。すなわち、比較的大きい音量の再生音を放射することができる薄型のスピーカ装置を提供すること、ボイスコイルの振動を方向変換して効率よく振動板に伝えることができること、薄型で且つ無指向性のスピーカ装置を得ること、等が本発明の目的である。
【課題を解決するための手段】
【０００８】
このような目的を達成するために、本発明によるスピーカ装置は、以下の構成を少なくとも具備するものである。
静止部と、駆動部と、振動体を備え、前記駆動部は、振動方向に交差する断面の形状が環状であるボイスコイルと、当該ボイスコイルが配置される磁気ギャップを有する磁気回路とを備え、前記振動体は、前記静止部に振動自在に支持される複数の振動板と、前記複数の振動板のうち、対面する第１の振動板と第２の振動板との間に設けられる振動方向変換部を備え、前記振動方向変換部は、前記第１の振動板と前記第２の振動板を連結して互いに近接又は離間するように連動させるとともに、前記ボイスコイルの振動方向とは異なる方向に前記第１の振動板と前記第２の振動板を振動させ、前記振動方向変換部は、剛性の連結部を介して前記ボイスコイルに連結していることを特徴とするスピーカ装置。
【図面の簡単な説明】
【０００９】
【図１】従来技術の説明図である。
【図２】本発明の実施形態に係るスピーカ装置の全体構成を示した説明図（断面図）である。
【図３】本発明の実施形態に係るスピーカ装置の静止部の形態例を示した説明図である。
【図４】本発明の実施形態に係るスピーカ装置の組み立て例を示す説明図である。
【図５】本発明の実施形態における駆動部を駆動部支持部に取り付けた状態を示した説明図（同図（ａ）が正面図、同図（ｂ）がＸ−Ｘ断面図、同図（ｃ）がＹ−Ｙ断面図）である。
【図６】本発明の実施形態における駆動部支持部に取り付けられる駆動部の分解図である。
【図７】本発明の実施形態におけるボイスコイル又はボイスコイル支持部の変形例を示した説明図である。
【図８】本発明の実施形態に係るスピーカ装置の変形例を示した説明図である。
【図９】本発明の実施形態に係るスピーカ装置の他の変形例を示した説明図である。
【図１０】本発明の実施形態に係るスピーカ装置の他の変形例を示した説明図である。
【図１１】本発明の実施形態に係るスピーカ装置の適用例を示した説明図である。
【発明を実施するための形態】
【００１０】
以下、図面を参照しながら本発明の実施形態を説明する。図２は、本発明の実施形態に係るスピーカ装置の全体構成を示した説明図（断面図）である。スピーカ装置１は、静止部１０と駆動部２０と振動体３０を備えている。静止部１０は駆動部２０や振動体３０の振動に対して相対的に静止した部位であって、駆動部２０や振動体３０を支持する部位である。なお、静止部は、完全に静止している状態を意図するわけでなく、例えば、振動板３０を支持できる程度に静止していれば良く、スピーカ装置１を駆動する際に生じる振動が伝搬して、その振動が静止部全体に伝播しても構わない。ここでいう静止部１０には、後述するフレーム、磁気回路２３の一部やスピーカ装置１が装着される被装着箇所等が該当する。駆動部２０は振動体３０を振動させる駆動力を発生させるスピーカ装置１の一部である。振動体３０は駆動部２０の駆動力によって振動するスピーカ装置１の一部である。
【００１１】
駆動部２０は、ボイスコイル２１とボイスコイル２１が配置される磁気ギャップ２３Ｇを有する磁気回路２３とを備えている。ボイスコイル２１は、環状の形態である断面形状を有する。なお、ここでのボイスコイル２１の断面は、ボイスコイル２１自身の振動方向（図示Ｘ軸方向）に交差する方向に延在する面である。
【００１２】
ボイスコイル２１は、例えば、図示のＸ軸周りに巻き回された線状の導電部材で構成されている。図示の例では、導電部材が環状のボイスコイル支持部２２に支持されているが、ボイスコイル２１が実質的に導電部材のみで構成され、環状の剛性を有するものであってもよい。導電部材は、始点および終点を有する導線、筒状の形状を有する金属部材や金属フィルムであっても構わなく、公知の材料を用いることができる。
【００１３】
ボイスコイル２１は、１つの導電部材で構成しても構わなく、複数の導電部材で構成しても構わない。ボイスコイル２１を複数の導電部材で構成する場合、例えば、巻き回された一方の導線上に、他方の導線を巻き回して、ボイスコイル２１を構成しても構わない（デュアルボイスコイル）。ボイスコイル２１は、ボイスコイル支持部２２を備えていても構わない。このボイスコイル支持部２２は、公知の樹脂材料で構成されて構わない。ボイスコイル２１の軽量化を図るべく、ボイスコイル支持部２２を筒状の樹脂部材で構成し、このボイスコイル支持部２２の外周側面に導電部材としての導電層を形成しても構わない。ボイスコイル支持部２２は、ボイスコイル２１の振動方向にて、剛性を備えていても構わない。
【００１４】
ボイスコイル２１と外部とを電気的に接続すべく、スピーカ装置１は引出線（図示しない）を備えても構わない。この引出線は、線状の導電部材で構成しても構わない。また、後述するダンパの表面又は内部に導電部材を設け、この導電部材を引出線として用いても構わない。引出線を介して又は直接ボイスコイル２１に音声信号が入力されると、ボイスコイル２１を流れる音声電流が磁気ギャップ２３Ｇの磁束を横切ることでローレンツ力が生じ、これが振動体３０を振動させる駆動力になる。
【００１５】
磁気回路２３は、図示の例では、ヨーク２３Ａと磁石２３Ｂとプレート２３Ｃを備えており、ヨーク２３Ａは外周筒部２３Ａ１と底面部２３Ａ２と柱部２３Ａ３を備える。柱部２３Ａ３に磁石２３Ｂが磁気的に接合し、プレート２３Ｃの外周面とヨーク２３Ａの外周筒部２３Ａ１との間に磁気ギャップ２３Ｇが形成される。ヨーク２３Ａと柱部２３Ａ３は別部材で構成されていても良く、一体に構成されていても構わない。また、柱部２３Ａ３を磁石にするか、又は磁石２３Ｂ及び柱部２３Ａ３を一体にした磁石にしても構わない。磁気回路２３を構成する構成部材としての、ヨーク２３Ａ、磁石２３Ｂ、プレート２３Ｃは磁性体で構成されている。磁石２３Ｂは、希土類系磁石、フェライト系磁石であっても構わなく、公知の磁性材料を用いることができる。また、図示の例では単一の磁石が示されているが、磁気効率等を考慮して複数の磁石を用いても構わない。複数の磁石を用いる場合、希土類系磁石とフェライト系磁石とを組み合わせて用いても構わない。図示の例は、いわゆる内磁型の磁気回路であるが、外磁型磁気回路、内磁型及び外磁型磁気回路を併用した磁気回路、複数の磁石を用いた反発型磁気回路であってもよく、磁気回路の形態は特にこれに限定されるものではない。
【００１６】
駆動部２０は、図示の例では、Ｘ軸方向に沿って一対のボイスコイル２１，２１と一対の磁気回路２３，２３が対向配置されている。一対のボイスコイル２１，２１の振動は実質的に同一の音声信号の入力によって同期しており、Ｘ軸方向に沿って互いに逆向きに振動する。音声信号の入力方法の例として、一対のボイスコイルを外部に対して電気的に並列となるように接続することが挙げられる。
【００１７】
振動体３０は、振動板３１と振動方向変換部４０を備えている。振動板３１はエッジ３３を介して振動自在に静止部１０に支持されている。振動方向変換部４０は、一部が静止部１０に支持されてボイスコイル２１の振動を方向変換して振動板３１に伝える機能を有する。
【００１８】
図示の例ではスピーカ装置１は複数の振動板３１を備えており、第１の振動板３１−１と第２の振動板３１−２が対面した状態で配置されている。第１の振動板３１−１と第２の振動板３１−２は、実質的に同形態である。第１の振動板３１−１と第２の振動板３１−２は、互いに、実質的に面対称に配備されている。個々の振動板３１は、平板状部３１Ａとこの平板状部３１Ａを囲む環状部３１Ｂを備えており、環状部３１Ｂは振動板３１の振動方向（Ｚ軸方向）に沿って突出する頂部３２を備え、ボイスコイル２１の振動方向（Ｘ軸方向）に対して交差する方向に剛性を備える。環状部３１Ｂに設けられる頂部３２は、第１の頂部３２−１と第２の頂部３２−２を備える。第１の頂部３２−１は、振動方向変換部４０側に突出する形状を備える。第２の頂部３２−２は、第１の頂部３２−１と平板状部３１Ａとの間に配置され、音響放射方向に向かって突出する形状を備える。
【００１９】
振動方向変換部４０は、対面する第１の振動板３１−１と第２の振動板３１−２との間に設けられている。また、振動方向変換部４０は、第１の振動板３１−１と第２の振動板３１−２を連結して互いに近接又は離間するように連動させて、ボイスコイル２１の振動方向とは異なる方向（図示の例ではＺ軸方向）に第１の振動板３１−１と第２の振動板３１−２を振動させる。
【００２０】
振動方向変換部４０は、リンク部分４１と関節部４２を有している。このリンク部分４１には、その両端に関節部４２が設けられている。また、振動方向変換部４０は、ボイスコイル２１と直接又は他の部材を介して連結するボイスコイル用連結部分４３、振動板３１と直接又は他の部材を介して連結する振動板用連結部分４４、静止部１０と直接又は他の部材を介して連結する静止部用連結部分４５をそれぞれ備えている。他の部材とは、接着剤又は後述する剛性の連結部５０等である。ここでのリンク部分４１は、剛性を有する振動方向変換部４０の一部分であり、関節部４２はリンク部分を他の部分に対して角度変更自在に支持又は連結する振動方向変換部４０の一部分である。また、ボイスコイル用連結部分４３、振動板用連結部分４４と静止部用連結部分４５は剛性を備える。
【００２１】
リンク部分４１は、ボイスコイル２１と振動板３１とを連結する第１のリンク部分４１−１と、この第１のリンク部分４１−１を角度変更自在に静止部１０に連結する第２のリンク部分４１−２を備える。
【００２２】
ボイスコイル用連結部分４３は、関節部４２を介して、第１のリンク部分４１−１の一方の端部に連結している。振動板用連結部分４４は、関節部４２を介して、第１のリンク部分４１−１の他方の端部に連結している。第２のリンク部分４１−２の一方の端部は、関節部４２を介して、第１のリンク部分４１−１の中間部分に連結している。第２のリンク部分４１−２の他方の端部は、関節部４２を介して、静止部用連結部分４５に連結している。
【００２３】
第１のリンク部分４１−１とボイスコイル用連結部分４３との間に設けられる関節部４２を第１の関節部４２−１とする。第２のリンク部分４１と静止部用連結部分４５との間に設けられる関節部４２を第２の関節部４２−２とする。第１の関節部４２−１と第２の関節部４２−２の位置は、振動板３１の振動方向（Ｚ軸方向）において実質的に同じ高さになっている。
【００２４】
振動方向変換部４０のリンク部分４１は、図示の例では、実質的に左右対称且つ上下対称に構成されている。リンク部分４１Ａとリンク部分４１Ｂとによって平行リンクが形成されている。また、実質的に左右対称且つ上下対称に配置されたリンク部分４１Ａ又はリンク部分４１Ｂはパンタグラフ状に配置されている。これによると、一対のボイスコイル２１，２１の同期振動によって一対のボイスコイル用連結部分４３，４３がＸ軸方向に沿って互いに逆向きに振動すると、リンク部分４１Ａとリンク部分４１Ｂは実質的に平行状態を維持しながら角度変更することになる。更に、一対のボイスコイル用連結部分４３，４３のＸ軸方向に沿った互いに逆向きの振動が、一対の振動板用連結部分４４，４４のＺ軸方向に沿った互いに逆向きの振動に変換される。
【００２５】
振動方向変換部４０は、剛性の連結部５０を介してボイスコイル２１に連結している。詳しくは、振動方向変換部４０のボイスコイル用連結部分４３が連結部５０を介してボイスコイル２１又はボイスコイル２１を支持するボイスコイル支持部２２と連結している。
【００２６】
連結部５０は、剛性の取付面部５１と、第１の筒状連結部５２と、第２の筒状連結部５３とを備える。剛性の取付面部５１は、ボイスコイル２１の振動方向に対して交差する方向に沿った取付面５１ａを有する。第１の筒状連結部５２は、ボイスコイル用連結部分４３に連結する。詳細には、第１の筒状連結部５２の内周面は、ボイスコイル用連結部分４３の外周面に接している。これにより、第１の筒状連結部５２は、ボイスコイル用連結部分４３を、ボイスコイル２１に対し規定の位置に配置する。第２の筒状連結部５３は、ボイスコイル２１に連結する。詳細には、第２の筒状連結部５３の外周面は、ボイスコイル支持部２２の内周面に接している。これにより、第２の筒状連結部５３は、ボイスコイル支持部２２を、ボイスコイル用連結部分４３に対し規定の位置に配置する。
【００２７】
振動板３１の振動方向（Ｚ軸方向）において、ボイスコイル２１とボイスコイル用連結部分４３の相対的な位置関係は、連結部５０により規定される。また、ボイスコイル２１の振動方向（Ｘ軸方向）における、ボイスコイル２１とボイスコイル用連結部分４３の相対的な位置関係は、連結部５０、ボイスコイル支持部２２、或いはボイスコイル用連結部分４３の長さにより規定される。ボイスコイル２１の振動方向に対するリンク部分４１Ａ，４１Ｂ、４１−２を含む）の角度は、ボイスコイル２１の振動方向における、連結部５０、ボイスコイル支持部２２、或いはボイスコイル用連結部分４３の長さにより規定される。ボイスコイル２１の振動方向に対する、リンク部分４１Ａ，４１Ｂ、４１−２の角度は、振動板３１の振幅の大きさに合わせて、適宜変更である。
【００２８】
連結部５０が有する第２の筒状連結部５３の内側側面には、補強部５３−１（図５参照）が設けられている。この補強部５３−１を設けることで、第２の筒状連結部は、ボイスコイル２１の振動方向にて、剛性を備えることができる。また、ボイスコイル２１又はボイスコイル支持部２２の外周側面と、第２の筒状連結部５３の内側側面とを接合用部材（接着剤）で接合しても構わない。第２の筒状連結部５３の内側側面には、凹状の接着剤溜め部（図示しない）を設けても構わない。凹状の接着剤溜め部を設けることで、接着剤がボイスコイル２１、ボイスコイル支持部２２、又は第２の筒状連結部５３からはみ出すこと、スピーカ装置１を構成する部材（ダンパ、引出線など）に、はみ出した接着剤が付着し、役割を果たすことができなくなること、ボイスコイル２１、ボイスコイル支持部２２、第２の筒状連結部５３に接合してしまうことなどを抑止できる。
【００２９】
ボイスコイル２１の振動方向（図示Ｘ軸方向）において、振動板３１の外周部３１Ｃは、図示の破線で示すように、連結部５０に対して略同じ位置、又はスピーカ装置１の内側に配置されている。スピーカ装置１を薄型化すると、振動板３１と連結部５０やボイスコイル２１（或いはボイスコイル支持部２２）が接近して配置される。このため振動板３１が下方に移動した場合には振動板３１と連結部５０等が接触しやすくなる。これを回避するために、これら連結部５０等を振動板３１の外周部に対して外側に配置し、或いは連結部５０と略同じ位置に配置している。これによって、振動板３１が大きく振動した場合の他部材との接触を回避できる。
【００３０】
更には、振動板３１の振動方向（図示Ｚ軸方向）における振動板３１の外周部３１Ｃと第１の頂部３２−１の距離（Ｚ1）は、連結部５０の外周部５４とボイスコイル用連結部分４３との距離（Ｚ2）、又はボイスコイル２１の外周側面とボイスコイル用連結部分４３との距離（Ｚ3）に対して大きい。これによって、振動板３１が大きく下方に振動した場合であっても、振動板３１と連結部５０等が接触することを回避できる。
【００３１】
静止部１０は、第１の振動板３１−１と第２の振動板３１−２と駆動部２０を支持する外周支持部１１と、振動方向変換部４０を支持する内側支持部１４を備えている。
【００３２】
図３は、本発明の実施形態に係るスピーカ装置の静止部の形態例を示した説明図である。静止部１０は、第１の外周枠部１３−１を有する第１の部品１０Ａと、第２の外周枠部１３−２を有する第２の部品１０Ｂと、橋渡し部１５と駆動部支持部１６とを有する第３の部品１０Ｃを、振動板３１の振動方向に沿って重ね、組み立てることによって構成される。第１の外周枠部１３−１は第１の振動板３１−１を支持し、第２の外周枠部１３−２は第２の振動板３１−２を支持する。同図（ａ）が第２の部品１０Ｂ（第１の部品１０Ａもほぼ同形態）を示しており、同図（ｂ）が第３の部品１０Ｃを示しており、同図（ｃ）が第１の部品１０Ａと第２の部品１０Ｂ間に配置される駆動部支持部１６を示している。第１の部品１０Ａ、第２の部品１０Ｂ、第３の部品１０Ｃは、振動板の振動方向にて、剛性を備えても構わない。
【００３３】
第１，第２，第３の部品１０Ａ，１０Ｂ，１０Ｃはそれぞれ外周支持部１１を備えている。内側支持部１４は、図示の例では、第３の部品１０Ｃにおける外周支持部１１から振動方向変換部４０に向かって突出しており、振動板３１の振動方向に対して剛性を備える。内側支持部１４は、対向配置される外周支持部１１，１１の２つの部分から突出し、この２つの部分間を橋渡す橋渡し部１５になっている。この橋渡し部１５は、一方の外周壁部１２から他方の外周壁部１２へ向かって延在する補強部１５−１を備える。補強部１５−１は、凸状の断面形状を備える。この補強部１５−１を橋渡し部１５が備えることで、橋渡し部１５は、振動板３１の振動方向において剛性を備える。内側支持部１４は、振動方向変換部４０の一部が取り付けられる、取付部１４−１を備える。具体的には、振動方向変換部４０の静止部用連結部分４５に設けられる孔部（図示しない）に、取付部１４−１が挿入される。この取付部１４−１と静止部用連結部分４５とが嵌合することで、振動方向変換部４０は、橋渡し部１５と連結する。
【００３４】
図３（ｂ）に示すように、外周支持部１１は振動板３１の振動方向に沿った壁面１２ｈを有する外周壁部１２を備えている。外周壁部１２は、図示の例では、橋渡し部１５の両端部に一対設けられている。静止部１０は、外周壁部１２を複数備えている。複数の外周壁部１２は、振動方向変換部４０を取り囲んで配置される。
【００３５】
図３（ａ）に示すように、外周支持部１１は、外周壁部１２の上端部１２ａ側に設けられる第１の外周枠部１３−１と、外周壁部１２の下端部１２ｂ側に設けられる第２の外周枠部１３−２を備えている。第１の外周枠部１３−１は、第１の振動板３１−１を第１のエッジ３３−１を介して支持しており、第２の外周枠部１３−２は、第２の振動板３１−２を第２のエッジ３３−２を介して支持している。
【００３６】
また、第１の外周枠部１３−１、第２の外周枠部１３−２は、振動板３１とエッジ３３を配置する開口部１１−１を備える。図示の例では、平面形状が楕円形である開口部１１−１が示されている。必要に応じて、この開口部１１−１は、平面形状が矩形状、トラック形状（一対の直線部と一対の曲線部で規定される形状）などにしても構わない。この開口部の形状に対応させて、適宜、振動板３１とエッジ３３の平面形状を変えても構わない。
【００３７】
なお、本願における矩形状とは、長円形状、楕円形状、トラック形状を含むものとする。
【００３８】
図１に示すように、磁気回路２３は、第１の外周枠部１３−１と第２の外周枠部１３−２との間に設けられる。図示の例では、第１の外周枠部１３−１を有する第１の部品１０Ａと第２の外周枠部１３−２を有する第２の部品１０Ｂの間に、橋渡し部１５と駆動部支持部１６とを有する第３の部品１０Ｃが挟持されている。更に、第３の部品１０Ｃの駆動部支持部１６に磁気回路２３が支持される。また、駆動部支持部１６はダンパを介してボイスコイル２１も支持している。詳細には、図３（ｃ）に示すように、駆動部支持部１６は、開口部１６−１を備える。この開口部１６−１内にボイスコイル２１の一部、ダンパの一部、磁気回路２３の一部が配置される。
【００３９】
図４は、本発明の実施形態に係るスピーカ装置の組み立て例を示す説明図である。第１の部品１０Ａは、第１の外周枠部１３−１を有する部品である。第１の外周枠部１３−１には、第１の振動板３１−１が第１のエッジ３３−１を介して取り付けられている。第２の部品１０Ｂは、第２の外周枠部１３−２を有する部品である。第２の外周枠部１３−２には、第２の振動板３１−２が第２のエッジ３３−２を介して取り付けられている。また、第３の部品１０Ｃには振動方向変換部４０が取り付けられている。振動方向変換部４０は静止部用連結部分４５，４５を一対備えている。その一対の静止部用連結部分４５，４５を内側支持部１４の表裏両面に接合することで、振動方向変換部４０が第３の部品１０Ｃに取り付けられる。第３の部品１０Ｃは駆動部支持部１６を備え、駆動部支持部１６に磁気回路２０とボイスコイル２１又はボイスコイル支持部２２が支持されている。
【００４０】
組み立てに際しては、振動方向変換部４０のボイスコイル用連結部分４３に連結部５０を介してボイスコイル２１又はボイスコイル支持部２２を連結する。この際、連結部５０の第１の筒状連結部５２にボイスコイル用連結部分４３が連結される。連結部５０の第２の筒状連結部５３にはボイスコイル２１又はボイスコイル支持部２２が連結されている。ボイスコイル２１又はボイスコイル支持部２２と第２の筒状連結部５３の連結をするに際しては、ボイスコイル２１又はボイスコイル支持部２２の端部を連結部５０の取付面５１ａに当接させることで位置決めを行い、第２の筒状連結部５３をボイスコイル２１又はボイスコイル支持部２２の内側に取り付ける。また、第１の筒状連結部５２とボイスコイル用連結部分４３との連結をするに際しては、ボイスコイル用連結部分４３の端部を第１の筒状連結部５２の内側に取り付ける。
【００４１】
第１の部品１０Ａと第２の部品１０Ｂは、その間に第３の部品１０Ｃを挟み込んだ状態で接合される。第１の振動板３１−１の背面は振動方向変換部４０の振動板用連結部分４４に接合される。第３の部品１０Ｃにおける駆動部支持部１６の外縁部１６ａは、第１の部品１０Ａにおける凹状の嵌合部１３ａに取り付けられる。同様に、第２の振動板３１−２の背面は、振動方向変換部４０の振動板用連結部分４４に接合される。第３の部品１０Ｃにおける駆動部支持部１６の外縁部１６ａは、第２の部品１０Ｂにおける凹状の嵌合部１３ａに取り付けられる。
【００４２】
図５は、駆動部を駆動部支持部に取り付けた状態を示した説明図（同図（ａ）が正面図、同図（ｂ）がＸ−Ｘ断面図、同図（ｃ）がＹ−Ｙ断面図）である。ボイスコイル２１は、長軸２１ａ及び短軸２１ｂで規定される矩形状である断面形状を有する。ボイスコイル２１の断面は、ボイスコイル２１の振動方向（図１のＸ軸方向）に交差する方向に延在する面である。ボイスコイル２１の短軸２１ｂの方向は、振動板３１の振動方向に沿っている。また、磁気回路２３は、長軸２１ａ及び短軸２１ｂで規定される矩形状の断面形状を備えている。この断面はボイスコイル２１の振動方向（図１のＸ軸方向）に交差する方向に延在する面である。磁気回路２３の短軸２１ｂの方向は、振動板３１の振動方向に沿っている。スピーカ装置１は、ボイスコイル２１の長軸２１ａに沿って設けられる帯状のダンパ２４を備える。ボイスコイル２１又はボイスコイル支持部２２は、ダンパ２４によって、駆動部支持部１６に振動自在に支持されている。駆動部２０は、図示のように、駆動部支持部１６に磁気回路２３及びボイスコイル２１（ボイスコイル支持部２２）を取り付けた一体ユニットとして、スピーカ装置１を構成する。
【００４３】
スピーカ装置１は、複数の磁気回路２３を備えても構わない。図示の例では、長軸２１ａに沿って、一対の磁気回路２３が配置されている。長軸２１ａ方向に沿って、複数の磁気回路２３を配置することで、例えば円筒状のボイスコイルを備えるスピーカ装置に対して、スピーカ装置１の薄型化を図るとともに、ボイスコイル２１に作用する電磁気力を比較的大きくできる。このため、スピーカ装置１の駆動力を向上させることができる。スピーカ装置１が備える複数の磁気回路２３に対応させて、複数のボイスコイル２１又はボイスコイル支持部２２をスピーカ装置１が備えても構わない。複数のボイスコイル２１又は複数のボイスコイル支持部２２は、スピーカ装置１の薄型化を図るべく、長軸２１ａの方向に沿って配置することができる。
【００４４】
図６は、駆動部支持部に取り付けられる駆動部の分解図を示している。駆動部支持部１６には、中央に開口部１６ｂが設けられ、この開口部１６ｂの外側に磁気回路保持部１６ｃが突出している。磁気回路保持部１６ｃの内側にヨーク２３Ａ（外周筒部２３Ａ１，底面部２３Ａ２，柱部２３Ａ３を含む）と磁石２３Ｂとプレート２３Ｃからなる磁気回路２３が保持される。開口部１６ｂにはボイスコイル２１又はボイスコイル支持部２２が挿入され、前述したダンパ２４によって支持されたボイスコイル２１が磁気回路２３の磁気ギャップ内に保持される。ボイスコイル２１又はボイスコイル支持部２２の先端には前述したように連結部５０が取り付けられる。
【００４５】
図７は、ボイスコイル又はボイスコイル支持部の変形例を示している。この例では、ボイスコイル支持部２２はその内側側面に環状の補強部２２ａを備えている。この補強部２２ａは図示のようなリブ状の凸部であってもよいし、その部分に剛性の高い枠材を取り付けたものであってもよい。また、ボイスコイル支持部２２に換えてボイスコイル２１自体を剛性の環状体にして、その内側に同様の補強部を設けたものであってもよい。また、スピーカ装置１が複数の磁気回路２３を備える場合、複数の磁気回路２３の配置位置に対応させて、枠材を配置しても構わない。具体的には、複数の磁気回路２３が備える複数のプレート２３Ｃの間であって、ボイスコイル２１又はボイスコイル支持部２２の内側に、枠材を配置しても構わない。このような補強部２２ａを設けることで、環状のボイスコイル２１又はボイスコイル支持部２２の変形を抑止することが可能になる。
【００４６】
図８は本発明の実施形態に係るスピーカ装置の変形例を示している。このスピーカ装置１Ａは、前述した実施形態と同様に磁気回路２３を含む駆動部２０によって振動板３１を振動させるものであり、振動板３１が第１の振動部３４と、第１の振動部３４を囲む第２の振動部３５とを備えている。第１の振動部３４はボイスコイル２１の振動方向に対し交差する方向に並べて配置される複数の凹部３４ａを備え、第１の振動部３４と第２の振動部３５との間には、環状の凹部３６が設けられている。この振動板３１はエッジ３３を介して静止部１０に支持されている。エッジ３３はエッジ連結部３３ａによって静止部１０（フレーム）に連結される。振動板３１が凹部３４ａ、３６を備えることで、振動板３１の振動方向において、振動板３１は剛性を備えることができる。また、振動板３１は、凹部３４ａ、３６に代えて、凸部を設けても構わなく、振動板３１に剛性を付与できる形状であれば、特に限定はしない。
【００４７】
エッジ３３は、径方向に延在する、凹状又は凸状の補強部３７を備える。エッジ３３の周方向における、補強部の断面形状は、エッジ３３の断面形状に沿った、湾曲状であっても構わない。図示の例では、凹状の複数の補強部がエッジ３３の周方向に沿って、並べて配置されている。この補強部３７は、図示の例では、エッジ３３の角部に設けられている。エッジ３３に補強部３７を設けることで、ボイスコイル２１にローリング現象の発生を抑止することが可能になる。また、補強部３７をエッジ３３の径方向に沿って設けることで、エッジ３３の径方向における剛性を向上させることができる。また、エッジ３３の周方向における補強部３７の断面形状を湾曲状にすることで、エッジ３３が周方向に沿って伸縮することができる。エッジ３３の周方向において、エッジ３３は柔軟性を備える。これにより、エッジ３３は、振動板３１の振動方向において、柔軟性を備えるとともに、最低共振周波数（Ｆ0）を比較的小さくすることができる。
【００４８】
図９は本発明の実施形態に係るスピーカ装置の他の変形例を示している。このスピーカ装置１Ｂは、振動板３１（３１−１，３１−２）の形態がコーン形状である以外は図２に示した例と同様の構成を備える。図２の例との同一部位に同一符号を付して重複説明を省略する。振動板３１をコーン形状にすることで、振動板３１の振動方向において、振動板３１は剛性を備えることができる。
なお、振動板３１は、振動方向変換部４０の振動板用連結部４４と連結する平板状部３１Ａを備える。この平板状部３１Ａは、振動板３１の振動方向において、剛性を向上させることができる。
【００４９】
図１０は本発明の実施形態に係るスピーカ装置の他の変形例を示している。このスピーカ装置１Ｃは、振動板３１（３１Ａ，３１Ｂ）を片側のみに備える以外は図２に示した例と同様の構成を備える。図２の例との同一部位に同一符号を付して重複説明を省略する。振動板３１と対面する側には静止部１０としての底面部１７が設けられる。必要に応じて、底面部１７は設けなくても構わない。底面部１７を設けない場合、後述する電子機器、特にフラットディスプレイパネルの筐体にスピーカ装置１を取り付けることで、筐体の一部を底面部１７としても構わない。
【００５０】
本発明の実施形態に係るスピーカ装置１において、ボイスコイル２１の振動方向と振動板３１の振動方向が異なっている。ボイスコイル２１の振動は、振動方向変換部４０によって方向変換されて振動板３１に伝えられる。これによって、ボイスコイル２１の振幅を大きくしても、ボイスコイル２１の振幅が直接スピーカ装置１における振動板３１の振動方向の厚さに影響しない。よって、本発明の実施形態係るスピーカ装置１は、従来のスピーカ装置では実現し難かったスピーカ装置の大出力化と薄型化の両立が可能になる。
【００５１】
スピーカ装置１において、ボイスコイル２１の振動が剛性の連結部５０を介して振動方向変換部４０に伝わる。振動方向変換部４０は、剛性のリンク部分４１の角度変化により、ボイスコイルの振動方向を方向変換する。これによって、ボイスコイル２１の振動を効率よく振動板３１に伝えることができる。また、振動方向変換部４０は、第１のリンク部分４１−１と第２のリンク部分４１−２とを備える。第２のリンク部分４１−２の一端は、静止部１０に支持される。第２のリンク部分４１−２の他端は、第１のリンク部分４１−１の中間部分と連結している。第１のリンク部分の一端は、ボイスコイル２１と直接又は他の部材を介して連結している。第２のリンク部分の他端は、振動板３１と直接又は他の部材を介して連結している。また、第２のリンク部分４１−２の他端により、第１のリンク部分４１−１が角度変更自在に支持される。このため、第１のリンク部分４１−１の一端にボイスコイル２１のＸ軸方向の振動を加えると、第１のリンク部分４１−１の他端はＺ軸方向に沿って振動する。これによって、ボイスコイル２１のＸ軸方向の振動を効率よくＺ軸方向に変換して振動板３１に伝えることができる。
【００５２】
スピーカ装置１は、環状のボイスコイル２１を備えるが、この環状のボイスコイル２１は振動方向変換部４０が介在する第１の振動板３１−１と第２の振動板３１−２の間に配備されている。これによりボイスコイル２１のＺ軸方向（振動板３１の振動方向）の厚さを振動方向変換部４０のＺ軸方向の幅内に収めることができればスピーカ装置１のＺ軸方向の厚さに影響することなくボイスコイル２１を配備することができる。ボイスコイル２１の断面形状（ボイスコイル２１自身の振動方向に交差して延在する断面の形状）は短軸２１ｂがＺ軸方向（振動板３１の振動方向）に沿う、横長の矩形状に形成されている。そのため、スピーカ装置１の厚さを薄型化した場合にも、長軸２１ａ方向の幅を比較的大きくしつつ、十分な駆動力を得ることができる。
【００５３】
スピーカ装置１は、静止部１０としての外周支持部１１を備え、その外周支持部１１の対向部位を橋渡す橋渡し部１５を備えており、その橋渡し部１５によって内側支持部１４が形成されている。この内側支持部１４は装置内部の静止部１０となり振動方向変換部４０を支持している。第１の振動板３１−１と第２の振動板３１−２を対向配置する形態であっても、スピーカ装置１の内部に形成される静止部１０（内側支持部１４）で振動方向変換部４０を支持している。このため、前述したようにボイスコイル２１の振動を、振動方向変換部４０を介して、効率よく２つの振動板（第１の振動板３１−１と第２の振動板３１−２）に伝えることができる。
【００５４】
またスピーカ装置１は、静止部１０としての外周支持部１１を備える。また、外周支持部１１が振動板３１の振動方向に沿った壁面を有する外周壁部１２を備える。このため、静止部は、振動板３１の振動に対して比較的高い剛性を得ることができる。また、外周壁部１２が橋渡し部１５の両端部に一対設けられているので、橋渡し部１５の変形を抑止し、振動方向変換部４０を高い剛性を有する静止部１０で支持することができる。
【００５５】
外周支持部１１は、外周壁部１２の上端部１２ａ近傍に設けられる第１の外周枠部１３−１と、外周壁部１２の下端部１２ｂ近傍に設けられる第２の外周枠部１３−２を備える。第１の外周枠部１３−１は、第１の振動板３１−１を第１のエッジ３３−１を介して支持する。第２の外周枠部１３−２は、第２の振動板３１−２を第２のエッジ３３−２を介して支持する。このため、第１の振動板３１−１と第２の振動板３１−２は、剛性を有する外周壁部１２により、所定の間隔（第１の振動板３１−１と第２の振動板３１−２との間の距離）を維持しつつ、振動自在に静止部１０に支持される。
【００５６】
静止部１０は外周壁部１２を複数備えている。外周壁部１２は振動方向変換部４０を取り囲んで配置されている。また、外周壁部１２は、磁気回路２３を支持している。このため、振動板３１の振動方向において、第１の振動板３１−１と第２の振動板３１−２との間に、振動方向変換部４０と磁気回路２３とを配置することができる。すなわち、振動板３１の振動方向における、スピーカ装置１を比較的薄くすることができる。
【００５７】
また、スピーカ装置１は、第１の振動板３１−１と第２の振動板３１−２を対向配置させて、両振動板を逆向きに同期振動させるので、薄型の構造でありながら無指向性の音響出力を実現することが可能になる。
【００５８】
また、静止部１０のうち、駆動部支持部１６をフレームとし、外周枠部１３と外周壁部１２とをキャビネットの一部分としても構わない。この場合、キャビネットは気密である内部空間を備える。フレームはキャビネットに支持される。キャビネットの内部空間内には、前述した振動方向変換部４０や振動板３１の一部、磁気回路２３の一部、ボイスコイル２１、ボイスコイル支持部２２、連結部５０が配置される。なお、キャビネットの一部は、後述する電子機器、例えばテレビの筐体であっても構わない。
【００５９】
振動板３１は、必要に応じて、振動板３１の振動方向において、剛性を有する平板形状に形成しても構わない。
【００６０】
振動方向変換部４０は、橋渡し部に静止部用連結部分４５に支持されているが、これに限定されず、一対の振動方向変換部４０が有する静止部用連結部分４５同士を連結させても構わない。
【００６１】
以上のように、本発明の実施形態に係るスピーカ装置は薄型化が可能であり、且つ大音量化の実現も可能である。このようなスピーカ装置は各種電子機器や車載用として効果的に用いることができる。図１１は、本発明の実施形態に係るスピーカ装置の適用例を示した説明図である。同図（ａ）に示したフラットパネルディスプレイのような電子機器２は、スピーカ装置１の設置に必要な厚さスペースを小さくできるので、電子機器全体の薄型化が可能になる。また、薄型化された電子機器においても充分な音声出力を得ることができる。また、スピーカ装置は、フラットパネルディスプレイの背面側に取り付けられても構わない。同図（ｂ）は、本発明の実施形態に係るスピーカ装置を備えた自動車３を示している。同図に示した自動車３は、スピーカ装置１の薄型化によって車内スペースの拡大が可能になる。特にドアパネルに本発明の実施形態に係るスピーカ装置１を内装したものでは、ドアパネルの出っ張りを無くし運転者の操作スペースの拡大が可能になる。また、充分な音声出力が得られるので、雑音が多い高速走行時等でも車内で快適に音楽やラジオ放送を楽しむことができる。
【００６２】
また、スピーカ装置１を備える建築物として、人の居住を用途とする住宅（建築物）や会議、講演会、パーティー等、多数の人数を収容して催しを行うことができるホテル、旅館や研修施設等（建築物）にスピーカ装置１を設置した場合、スピーカ装置１の設置に必要な厚さスペースを小さくできるので、不要なスペースを削除でき、スペースを有効に活用することができる。また、近年、プロジェクターや大画面テレビ等の普及に伴い、音響・映像設備を備える居室を設ける例が見られるようになっており、一方で音響・映像設備を備える居室を設けずに、リビングルーム等をシアタールームとして使用するケースも見られる。このようなケースにおいても、スピーカ装置１を用いることで、簡易にリビングルーム等をシアタールーム化でき、さらにリビングルーム内の空間を有効に活用することが可能である。なお、スピーカ装置１の配置場所は、例えば、居室内の天井や壁等が挙げられる。
【００６３】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。上述の各図で示した実施の形態は、その目的及び構成等に特に矛盾や問題がない限り、互いの記載内容を組み合わせることが可能である。また、各図の記載内容はそれぞれ独立した実施形態になり得るものであり、本発明の実施形態は各図を組み合わせた一つの実施形態に限定されるものではない。
【符号の説明】
【００６４】
１，１Ａ，１Ｂ，１Ｃ：スピーカ装置，１０：静止部，
１１：外周支持部，１２：外周壁部，１３：外周枠部，
１４：内側支持部，１５：橋渡し部，１６：駆動部支持部，１７：底面部，
２０：駆動部，２１：ボイスコイル，２２：ボイスコイル支持部，
２３：磁気回路，２３Ｇ：磁気ギャップ，２３Ａ：ヨーク，２３Ｂ：磁石，
２３Ｃ：プレート，２４：ダンパ，
３０：振動体，３１：振動板，３１Ａ：平板状部，３１Ｂ：環状部，
３２：頂部，３２−１：第１の頂部，３２−２：第２の頂部，
３１Ｃ：外周部，
３１−１：第１の振動板，３１−２：第２の振動板，
３３：エッジ，３３−１：第１のエッジ，３３−２：第２のエッジ，
３４：第１の振動部，３５：第２の振動部，
３６：凹部（環状の凹部），３７：補強部，
４０：振動方向変換部，４１（４１Ａ，４１Ｂ）：リンク部分，４２：関節部，
４３：ボイスコイル用連結部分，４４：振動板用連結部分，
４５：静止部用連結部分
５０：連結部，５１：取付面部，
５２：第１の筒状連結部，５３：第２の筒状連結部，５４：外周部，
２：電子機器，３：自動車
【図１】
2012074776.tif 000003
【図２】
2012074776.tif 000004
【図３】
2012074776.tif 000005
【図４】
2012074776.tif 000006
【図５】
2012074776.tif 000007
【図６】
2012074776.tif 000008
【図７】
2012074776.tif 000009
【図８】
2012074776.tif 000010
【図９】
2012074776.tif 000011
【図１０】
2012074776.tif 000012
【図１１】
2012074776.tif 000013